(57)【要約】【課題】ヒューズ付きプラグの提供。【解決手段】本発明はヒューズ付きプラグ、特に、プラグのカバーを取り外す或いは取り付ける時に、ヒューズをカバーに連帯して取り外す或いは取り付けることができるものであり、ベースを包含し、該ベースに周壁が設けられ、並びに外部へと延伸された二つの端子が設けられ、該周壁に囲まれて収容室が画定され、且つ該収容室に開口が設けられて外部と連通し、且つカバーが設けられ、該カバーは該開口に対応し、且つ該カバーに可動連結シートが設けられ、該可動連結シートにヒューズが可動に連結される。これにより、本発明はカバーを取り付ける或いは取り外す時に、併せて該ヒューズを着脱でき、簡単にヒューズを着脱できる効果を有する。【選択図】図２
2011108634.tif 000002
【特許請求の範囲】
【請求項１】
ヒューズ付きプラグにおいて、ベースとカバーを包含し、
該ベースに周壁が設けられ、該ベースに外部へと延伸された二つの端子が設けられ、該周壁に囲まれて収容室が画定され、該収容室内部にヒューズを設置するための前挟持部と後挟持部が設けられ、該収容室に開口が設けられて外部と連通し、
該カバーは該開口に対応し、該開口を開閉でき、該カバーに可動連結シートが設けられ、該可動連結シートにヒューズが着脱自在に連結され、
該カバーを取り付ける或いは取り外す時に、併せて該ヒューズを該前挟持部と該後挟持部により該ヒューズを着脱できることを特徴とするヒューズ付きプラグ。
【請求項２】
請求項１記載のヒューズ付きプラグにおいて、該開口の内側両側の後端近くにそれぞれ第１レール溝が設けられ、該カバーの両側にそれぞれ凸体が設けられ、各該凸体の外端距離は該開口の幅よりやや大きく、二つの該第１レール溝の溝内側の間距より小さく、且つ該凸体はそれぞれ該第１レール溝内に収容されることを特徴とするヒューズ付きプラグ。
【請求項３】
請求項１記載のヒューズ付きプラグにおいて、該カバーの前端近くの両外側にそれぞれスライド係止部が設けられ、且つ該開口の二つの内側前端にそれぞれ第２レール溝が設けられ、これにより、該カバーが二つの該凸体により該第１レール溝に対して移動する時、各該スライド係止部を該第２レール溝に滑り込ませることができることを特徴とするヒューズ付きプラグ。
【請求項４】
請求項１記載のヒューズ付きプラグにおいて、該開口が該ベースの内側に設けられ、該カバーが該開口に対応して該開口の内縁に嵌め込まれることを特徴とするヒューズ付きプラグ。
【請求項５】
請求項１記載のヒューズ付きプラグにおいて、該可動連結シートが環孔を具えた環体とされて、該ヒューズを該環孔に自在に挿入或いは抜き取れることを特徴とするヒューズ付きプラグ。
【請求項６】
請求項１記載のヒューズ付きプラグにおいて、該可動連結シートの内側の二つの外縁にそれぞれフックが設けられ、且つ該ベースの該開口の内側の両側にそれぞれ係止溝が設けられ、該カバーが取り外される時、各該フックが該係止溝の溝辺を係止することを特徴とするヒューズ付きプラグ。
【請求項７】
請求項１記載のヒューズ付きプラグにおいて、該前挟持部の側辺に、側挟持部が延設され、該側挟持部に挟持スリットが設けられ、端子が該側挟持部の挟持スリットに挿入されて挟持されることを特徴とするヒューズ付きプラグ。
【請求項８】
請求項１記載のヒューズ付きプラグにおいて、該周壁の外縁にリブが設けられ、該リブと該周壁との間に局部的に間隙が形成されたことを特徴とするヒューズ付きプラグ。
【請求項９】
請求項１記載のヒューズ付きプラグにおいて、該収容室の下方にベースカバーが設けられ、該ベースカバーの二側それぞれにフックが設けられ、且つ該周壁の両側それぞれに、各ベースカバーのフックに対応し係合する係止片が設けられたことを特徴とするヒューズ付きプラグ。
【請求項１０】
請求項１記載のヒューズ付きプラグにおいて、該後挟持部より一体に線連結溝片が延伸されたことを特徴とするヒューズ付きプラグ。
【発明の詳細な説明】
【技術分野】
【０００１】
本発明は一種のヒューズ付きプラグに係り、特にベースにカバーを着脱することで、連帯してヒューズを着脱できる構造に関する。
【背景技術】
【０００２】
日常生活と工業において電器或いは電気用具の使用に必要な交流電力は、延長線プラグとコンセントの接合を介して提供される。延長線プラグは少なくとも二つの端子を有するか、或いはこのほかにアース端子を有する。安全のため、一部のプラグ内部にはヒューズが設けられ、ゆえに電流負荷が過大となる時、ヒューズの溶断により電流が切断され、安全効果を達成する。このようなヒューズは現在、着脱が容易な柱状形態に設計されている。
【０００３】
平時に使用する時、このようなヒューズはプラグのベース内部に設けられた収容室内部に置かれ、収容室内部の前後の挟持部が弾性挟持するか、或いは引き抜き式に着脱が行えるものとされ、該ヒューズが焼損或いは故障した場合、該ヒューズを交換する必要が生じる。一般に該ヒューズの着脱は、該ベースに開口が設けられ、該開口に可動カバーが設けられ、該ヒューズが焼損或いは故障した時、該可動カバーを取り外した後、ヒューズを着脱する。
【０００４】
しかしこのような構造は、該カバーと該ヒューズをそれぞれ着脱しなければならず、不便であるという問題を有している。
【発明の概要】
【発明が解決しようとする課題】
【０００５】
従来の技術の問題を鑑み、本発明は一種のヒューズ付きプラグを提供することを課題とし、それは、カバーに連帯してヒューズを着脱できる構造を有するものとする。
【課題を解決するための手段】
【０００６】
本発明のヒューズ付きプラグは、ベースとカバーを包含し、
該ベースに周壁が設けられ、該ベースに外部へと延伸された二つの端子が設けられ、該周壁に囲まれて収容室が画定され、該収容室内部にヒューズを設置するための前挟持部と後挟持部が設けられ、該収容室に開口が設けられて外部と連通し、
該カバーは該開口に対応し、該開口を開閉でき、該カバーに可動連結シートが設けられ、該可動連結シートにヒューズが着脱自在に連結され、
該カバーを取り付ける或いは取り外す時に、併せて該ヒューズを該前挟持部と該後挟持部により該ヒューズを着脱できることを特徴とする、ヒューズ付きプラグとしている。
本発明はさらに、該開口の内側両側の後端近くにそれぞれ第１レール溝が設けられ、該カバーの両側にそれぞれ凸体が設けられ、各該凸体の外端距離は該開口の幅よりやや大きく、二つの該第１レール溝の溝内側の間距より小さく、且つ該凸体はそれぞれ該第１レール溝内に収容されることを特徴とする、ヒューズ付きプラグとされ得る。
本発明はさらに、該カバーの前端近くの両外側にそれぞれスライド係止部が設けられ、且つ該開口の二つの内側前端にそれぞれ第２レール溝が設けられ、これにより、該カバーが二つの該凸体により該第１レール溝に対して移動する時、各該スライド係止部を該第２レール溝に滑り込ませることができることを特徴とする、ヒューズ付きプラグとされ得る。
本発明はさらに、該開口が該ベースの内側に設けられ、該カバーが該開口に対応して該開口の内縁に嵌め込まれることを特徴とする、ヒューズ付きプラグとされ得る。
本発明はさらに、該可動連結シートが環孔を具えた環体とされて、該ヒューズを該環孔に自在に挿入或いは抜き取れることを特徴とする、ヒューズ付きプラグとされ得る。
本発明はさらに、該可動連結シートの内側の二つの外縁にそれぞれフックが設けられ、且つ該ベースの該開口の内側の両側にそれぞれ係止溝が設けられ、該カバーが取り外される時、各該フックが該係止溝の溝辺を係止することを特徴とする、ヒューズ付きプラグとされ得る。
本発明はさらに、該前挟持部の側辺に、側挟持部が延設され、該側挟持部に挟持スリットが設けられ、端子が該側挟持部の挟持スリットに挿入されて挟持されることを特徴とする、ヒューズ付きプラグとされ得る。
本発明はさらに、該周壁の外縁にリブが設けられ、該リブと該周壁との間に局部的に間隙が形成されたことを特徴とする、ヒューズ付きプラグとされ得る。
本発明はさらに、該収容室の下方にベースカバーが設けられ、該ベースカバーの二側それぞれにフックが設けられ、且つ該周壁の両側それぞれに、各ベースカバーのフックに対応し係合する係止片が設けられたことを特徴とする、ヒューズ付きプラグとされ得る。
本発明はさらに、該後挟持部より一体に線連結溝片が延伸されたことを特徴とする、ヒューズ付きプラグとされ得る。
【発明の効果】
【０００７】
本発明のヒューズ付きプラグは、ベースを有し、該ベースに周壁が設けられ、並びに外部へと延伸された二つの端子或いは３つの端子が設けられ、該周壁に囲まれて収容室が画定され、且つ該収容室に開口が設けられて外部と連通する。
【０００８】
本発明はさらにカバーを包含し、該カバーは該開口に対応し該開口を開閉可能であり、且つ該カバーに可動連結シートが設けられ、該可動連結シートにヒューズが着脱自在に連結される。
【０００９】
これにより、本発明はカバーを取り付ける或いは取り外す時に、併せて該ヒューズを着脱でき、簡単ヒューズを着脱できる効果を有する。
【図面の簡単な説明】
【００１０】
【図１】本発明の第１実施例の立体図である。
【図２】本発明の第１実施例の立体分解図である。
【図３】本発明の断面動作表示図一である。
【図４】本発明の断面動作表示図二である。
【図５】本発明の断面動作表示図三である。
【図６】本発明の第１実施例で形成したプラグ製品の外観図である。
【図７】本発明の第２実施例の立体図である。
【図８】本発明の第２実施例の立体分解図である。
【図９】図１の端子を絶縁層で被覆した外観形態立体図である。
【図１０】図１の端子を極性の違いにより異なる幅に設けた外観形態立体図である。
【図１１】本発明の端子を側挟持部に挿入した外観形態立体図である。
【発明を実施するための形態】
【００１１】
本発明の技術内容、構造特徴、達成する目的を詳細に説明するため、以下に実施例を挙げ並びに図面を組み合わせて説明する。
【００１２】
本発明の実施例はここに２種類が提示されるが、それらに限定されるわけではない。
【００１３】
そのうち一種類は、図１及び図２に示されるカバーに連帯してヒューズを着脱できるヒューズ付きプラグである。本発明の組合せ後のプラグ（Ａ）の外観は、図６に示されるようである。
【００１４】
本発明は、ベース（１）とカバー（２）を包含する。
【００１５】
該ベース（１）には周壁（１１）が設けられ、並びに外部へと延伸された二つの端子（１２）、（１０）が設けられ、該二つの端子（１２）、（１０）は図９に示されるように、その根部の外周が絶縁層（１２１）で被覆され、且つ端子（１２）、（１０）は図１０に示されるように、極性の違いにより幅が不一致の端子（１２）、（１０）とされてもよい。ベース（１）に該周壁（１１）で囲まれてなる収容室（Ｐ）が設けられ、該収容室（Ｐ）の内部に前挟持部（１３）と後挟持部（１４）が設けられ、且つ該収容室（Ｐ）は開口（１５）により外部と連通している。
【００１６】
該カバー（２）に可動連結シート（２１）が設けられ、該可動連結シート（２１）にヒューズ（３）が着脱自在に組み合わされ、該可動連結シート（２１）は環孔（２１１）を具えた環体（２１０）とされ得て、これにより該ヒューズ（３）が着脱自在に該環孔（２１１）より環体（２１０）に挿入されるか或いは抜き取られる。
【００１７】
該カバー（２）により該開口（１５）が開閉される。該ヒューズ（３）は過量の電流が電子回路に流れるのを防止でき、定格を越える電流が流れる時、その発生する高熱によりヒューズ（３）は溶断され、回路を保護し傷害を防止する。
【００１８】
該ヒューズ（３）はその外観が柱状を呈し、外部は二つの導電部（３１）、（３２）を包含する。一般的に、平時使用の状態では、該ヒューズ（３）は収容室（Ｐ）内部に設けられ、該前挟持部（１３）と後挟持部（１４）により弾性挟持されるか、或いは抜き取り式に取り外される。
【００１９】
本発明は該可動連結シート（２１）によりヒューズ（３）と可動に結合され、これにより、該開口（１５）に該カバー（２）が着脱される時、併せて連帯してヒューズ（３）が着脱される。
【００２０】
本発明の図１及び図２に示される第１実施例中、該開口（１５）は該ベース（１）の外側に設けられている。本発明で言う「ベースの外側」とは、該ベース（１）周囲の二つの端子（１２）、（１０）に挟まれた範囲にない露出面を指す。一方、「ベースの内側」とは、該二つの端子（１２）、（１０）に挟まれた範囲のベース（１）端面を指す。
【００２１】
該開口（１５）の二つの内側の後端部近く（本明細書では其の他の特別な指示がなければ、該二つの端子（１２）、（１０）の自由端の反対が後端とされ、該自由端の方向が前端とされる）に、それぞれ第１レール溝（１６）が設けられている（図３から図５参照）。
【００２２】
該カバー（２）は該開口（１５）に対応し、且つ該カバー（２）の両側それぞれに凸体（２２）が設けられている。実施例では、各該凸体（２２）の外端間の距離は該開口（１５）の幅よりやや大きく、二つの該第１レール溝（１６）の溝内側の間距より小さく、且つ各該凸体（２２）はそれぞれ該第１レール溝（１６）に収容される。
【００２３】
これにより、二つの該凸体（２２）を該第１レール溝（１６）に進入させる時は、該カバー（２）をやや側転させ、二つの該凸体（２２）を該第１レール溝（１６）に対応させ、その後、さらに該カバー（２）を回転させる。
【００２４】
該カバー（２）を該開口（１５）に強固に閉じ合わせられるように、該カバー（２）の前端近くの両外側にそれぞれスライド係止部（２３）が設けられ、且つ該開口（１５）の二つの内側前端にそれぞれ第２レール溝（１７）が設けられる。これにより、該カバー（２）を二つの該凸体（２２）を該第１レール溝（１６）に対応させ移動させる時に、同時に各スライド係止部（２３）を各第２レール溝（１７）に滑り込ませることができる。
【００２５】
図３を参照されたい。該ヒューズ（３）を取り出したい時は、該カバー（２）を前端方向に押して移動させ、すなわち、図の左側に移動させて、図４のようにし、該スライド係止部（２３）を該第２レール溝（１７）より露出させる。
【００２６】
その後、さらに、図５のように、該カバー（２）前端部を回して起こす。該カバー（２）の該可動連結シート（２１）は該ヒューズ（３）と着脱自在に結合されているため、該カバー（２）を回して起こす時に、合わせて該ヒューズ（３）が該前挟持部（１３）と後挟持部（１４）の弾性挟持より離脱させるか、引き抜いて取り出すことができる。
【００２７】
図７と図８に示されるのは本発明の別の実施例である。構造を簡易化するため、該開口（１５Ａ）は該ベース（１Ａ）の内側に設けられている。本実施例中、該カバー（２Ａ）は該開口（１５Ａ）に対応し、且つ該カバー（２Ａ）は該開口（１５Ａ）に対応して該開口（１５Ａ）の内側に嵌め込まれる。且つ、先の実施例と同様に、本発明の該カバー（２Ａ）には可動連結シート（２１Ａ）が設けられ、該可動連結シート（２１Ａ）はヒューズ（３Ａ）との可動連結を提供する。該可動連結シート（２１Ａ）は環孔（２１１）を具えた環体（２１０）とされて、該ヒューズ（３Ａ）を挿入或いは抜き取ることができる。
【００２８】
先の実施例と同様に、該カバー（２Ａ）により該開口（１５Ａ）を開閉できる。そして、同様に、該ヒューズ（３Ａ）を平常使用する時には、収容室（Ｐ）内部に設けられ、前挟持部（１３Ａ）と後挟持部（１４Ａ）により弾性挟持するか或いは抜き取ることができる。
【００２９】
このような実施例は、該カバー（２Ａ）を該ベース（１Ａ）の内側より着脱し、該カバー（２Ａ）に該可動連結シート（２１Ａ）が設けられて、該可動連結シート（２１）と可動に連結され、これにより、該開口（１５Ａ）に該カバー（２Ａ）が着脱される時、併せてヒューズ（３Ａ）が着脱される。
【００３０】
本発明はさらに該可動連結シート（２１Ａ）の内側の二つの外縁にそれぞれフック（２１２）が設けられ、且つ該ベース（１Ａ）の該開口（１５Ａ）の内側の両側にそれぞれ係止溝（１８）が設けられ、該フック（２１２）が該可動連結シート（２１Ａ）の内側に設けられたことにより、該可動連結シート（２１Ａ）が該カバー（２Ａ）の取り外しに伴い露出する時、該ヒューズ（３Ａ）も該可動連結シート（２１Ａ）に伴い露出し、該フック（２１２）を該係止溝（１８）の溝辺に対して係止でき、これにより該カバー（２Ａ）が簡単には脱落しないようにする。
【００３１】
図２に図１１を併せて参照されたい。本発明の実施例によると、該前挟持部（１３）の側辺に、連接片（１３１）により側挟持部（１３２）が延設され、該側挟持部（１３２）に挟持スリット（１３３）が設けられ、端子（１２）が簡単に該側挟持部（１３２）の挟持スリット（１３３）に挿入されて挟持されるか、或いは該側挟持部（１３２）の挟持スリット（１３３）より抜き取られて交換される。
【００３２】
該端子（１２）の挿入を強固とするため、該周壁（１１）の前端側辺に框体（１１６）が設けられ、該框体（１１６）は該側挟持部（１３２）の前方に設けられ、該框体（１１６）の框孔（１１７）は該挟持スリット（１３３）に対応し、該端子（１２）が該側挟持部（１３２）の挟持スリット（１３３）に挿入される前に、まず該框体（１１６）によりしっかりと被覆される。
【００３３】
該後挟持部（１４）については、設置の便のため、別にリベッティングする必要をなくすため、線連結溝片（１４１）が設けられている。
【００３４】
図２を参照されたい。該周壁（１１）の外縁にリブ（１１１）が設けられ、該リブ（１１１）は該周壁（１１）との間に局部的に間隙（１１２）を形成している。該間隙（１１２）は該周壁（１１）の外部をプラスチック射出成形により被覆する時に、溶融状態のプラスチック材料が進入することで、該プラスチック材料が硬化した時、該リブ（１１１）に対して被覆と挟持を形成し、これにより該プラスチック材料の硬化時の該周壁（１１）からの脱落を防止する。
【００３５】
図２を参照されたい。組立の便のため、本発明は該収容室（Ｐ）の下方にベースカバー（１９）が設けられている。該ベースカバー（１９）と該周壁（１１）を密接に接合させて、該周壁（１１）外部のプラスチック射出成形時の溶融状態のプラスチック材料の該収容室（Ｐ）への進入を減らすため、該ベースカバー（１９）の二側それぞれにフック（１９１）が設けられ、且つ該周壁（１１）の両側それぞれに、各フック（１９１）に対応する係止片（１１３）が設けられ、各該フック（１９１）と該係止片（１１３）の係合により密接な結合が達成される。該フック（１９１）の数量はさらに多く設けることができ、また、該係止片（１１３）の数量もそれに対応して多くすることができる。
【００３６】
該ベースカバー（１９）本体より上向きに二つの側板（１９２）が延伸され、且つ該周壁（１１）内側に、二つの該側板（１９２）に対応する二つの凹溝（１１４）が設けられ、且つ該側板（１９２）の上部に凹階段溝（１９３）が設けられ、該側板（１９２）と該凹溝（１１４）の上端（１１５）が間隙を形成し、該間隙が前述の第１レール溝（１６）を形成できる。
【００３７】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００３８】
１  ベース
１Ａ  ベース
１０  端子
１１  周壁
１１１  リブ
１１２  間隙
１１３  係止片
１１４  凹溝
１１５  上端
１１６  框体
１１７  框孔
１２  端子
１２１  絶縁層
１３  前挟持部
１３Ａ  前挟持部
１３１  連接片
１３２  側挟持部
１３３  挟持スリット
１４  後挟持部
１４Ａ  後挟持部
１４１  線連結溝片
１５  開口
１５Ａ  開口
１６  第１レール溝
１７  第２レール溝
１８  係止溝
１９  ベースカバー
１９１  フック
１９２  側板
１９３  凹階段溝
２  カバー
２Ａ  カバー
２１  可動連結シート
２１Ａ  可動連結シート
２１０  環体
２１１  環孔
２１２  フック
２２  凸体
２３  スライド係止部
３  ヒューズ
３Ａ  ヒューズ
３１  導電部
３２  導電部
Ｐ  収容室
Ａ  プラグ
【図１】
2011108634.tif 000003
【図２】
2011108634.tif 000004
【図３】
2011108634.tif 000005
【図４】
2011108634.tif 000006
【図５】
2011108634.tif 000007
【図６】
2011108634.tif 000008
【図７】
2011108634.tif 000009
【図８】
2011108634.tif 000010
【図９】
2011108634.tif 000011
【図１０】
2011108634.tif 000012
【図１１】
2011108634.tif 000013